(57)【要約】【課題】入浴中の溺死を防ぐ風呂用空気枕を提供する。【解決手段】浴槽のフランジに載置し、下方向に力を加えても浴槽に落ちない風呂用空気枕で、入浴している人の頭部を３６０度の角度で水面から遮断して、どの方向に倒れても、頭部が水に入るのを防ぐ。入浴している人が、前のめりになった時に、鼻や口が触れる範囲内の空気枕の表層面には、吸気口を有する凸部を設けて窒息を防ぐ。さらに、前記風呂用空気枕に脇の下を支えるホルダーを設け、身体が浴槽内にずり落ちるのを防ぐ。【選択図】図１
2019202099.tif 000002
【特許請求の範囲】
【請求項１】
使用する浴槽のフランジに載置出来る大きさを有し、内部に空気が充填される風呂用空気枕において、その空気枕の中央部分に、成人が膝を伸ばして浴槽に座った時に、上半身が通過する空洞部分を設け、座った人が前傾した時に顔面が接する前記空気枕の表層部分に、吸気口を有する凸部、又は吸気口を有する台座を設けたことを特徴とする風呂用空気枕。
【請求項２】
前記空洞部分の一か所に分離部を設けたことを特徴とする、請求項１に記載の風呂用空気枕。
【請求項３】
前記空洞部分の二か所に分離部を設け、前記風呂用空気枕の前部分と後部分が、個別に分離することを特徴とする請求項１に記載の風呂用空気枕。
【請求項４】
成人が膝を伸ばして浴槽に座った時に両脇を下から支えるホルダーを設けたことを特徴とする請求項１、請求項２、又は請求項３に記載の風呂用空気枕。
【発明の詳細な説明】
【技術分野】
【０００１】  本発明は、溺死を防止するための風呂用空気枕に関する。
【背景技術】
【０００２】  溺死を防止するための風呂用品はあった。たとえば、特許文献１のように、風呂蓋の切り欠き部より頭部を浴槽外に出して入浴する風呂蓋はあった。これは、入浴が行われる場合、入浴者は頚部及び顎部を該切り欠き部に保持された状態になるため、全身の力を抜いても身体が浴槽内に滑り込むことがなく、入浴しながら寝入った場合や入浴に伴う急激な血圧変動による失神状態に陥った場合でも溺死する危険性を回避できる、と想定されている。しかし、頚部及び顎部を硬い蓋で保持するのは、危険でもある。又蓋をしたまま入浴すると、浴槽からの出入りが不便になるので、さらに、危険性が増す。【０００３】  海や、プールでの溺死を防止するための用品としては、浮き輪がある。浮き輪を浴槽のフランジ部分に載置し、浮き輪の空洞から上体と、腕を出して、入浴すれば溺死を防止出来る。しかし、入浴時に、身体のコントロール機能を失い、前のめりになった場合、浮き輪のビニールの表層面に鼻や口が密着すると、窒息する危険性がある。又、浮き輪から腕を出した状態で、入浴すると不自然な姿勢になり窮屈である。
【先行技術文献】
【特許文献】
【０００４】
【特許文献１】特開２００１−２５２２０５号公報
【発明の概要】
【発明が解決しようとする課題】
【０００５】  日本では、欧米諸国に比べて浴槽内死亡事故の発生頻度が高い。その多くは、浴槽内で意識を失い、前のめりになって水を吸引し溺死すると考えられている。【０００６】  本発明では、入浴中の溺死を防止するために、入浴している人の身体が、どの方向に倒れても、頭部を保持することの出来る風呂用空気枕を提供する。
【課題を解決するための手段】
【０００７】  本発明に係る風呂用空気枕は、使用する浴槽のフランジに載置出来る大きさを有し、内部に空気が充填される風呂用空気枕において、その空気枕の中央部分に、成人が膝を伸ばして浴槽に座った時に、上半身が通過する空洞部分を設け、座った人が前傾した時に顔面が接する前記空気枕の表層部分に、吸気口を有する凸部、又は、吸気口を有する台座を設けたことを特徴とする。
【発明の効果】
【０００８】  入浴している人が浴槽内で意識を消失し上体が倒れても、本発明の風呂用空気枕で頭部を保持しているので、口や鼻が水に接する事はなく、溺死を防止出来る。
【図面の簡単な説明】
【００９】
【図１】本発明の実施の形態１を示す風呂用空気枕の斜視図である。
【図２】本発明の実施の形態１を示す風呂用空気枕の使用例を示す断面図である
【図３】本発明の実施の形態２を示す風呂用空気枕の使用例を示す斜視図である
【発明を実施するための形態】
【００１０】  以下、図面に基づいて本発明の実施の形態について説明する。各図において、同一の符号を付した部位等については、同一の又はこれに相当する部位を表すものであって、これは明細書の全文において共通している。また、明細書全文に表れている構成要素の形態は、あくまで例示であって、本発明は明細書内の記載のみに限定されるものではない。また、図面では各構成部材の大きさの関係が実際のものとは異なる場合がある。
【００１１】  図１は、実施の形態１に係る風呂用空気枕１の斜視図である。風呂用空気枕１は、梅の花をモチーフにし、その中央部分に空洞部分を設け、さらに後頭部ホルダー部分２、前頭部ホルダー部分３、右側頭部ホルダー部分４、左側頭部ホルダー部分５、一対の脇ホルダー部分６を設けて構成される。
【００１２】  風呂用空気枕１に空気を充填し、図２に示すように、浴槽のフランジ１２に載せ、風呂用空気枕１が、下に引っ張られても、浴槽内に落ちない事を確認する。
【００１３】  図２に示すように、後頭部ホルダー部分２に後頭部を載せ、一対の脇ホルダー部分６を両脇下に挟んで入浴する。
【００１４】  長時間の入浴は意識消失の危険があり、入浴時間は１０分が目安となっている。（消費者庁のＨＰより）。浴室で正確な入浴時間を把握しにくい時は、防水タイマー１０に適正な時間をセットする。
【００１５】  入浴時、身体のコントロール機能を失い、前のめりになった場合は、前頭部ホルダー部分３があるので、顔面が湯に沈む事はない。
【００１６】  前頭部ホルダー部分３の表層面（例えば塩化ビニール）に鼻や口が密着して倒れた場合は、窒息する危険性がある。その危険を回避する為に吸気用球形凸部７−Ａを設ける。吸気用球形凸部７−Ａは、鼻腔の内径より細い材料を用いた網などで構成され、口腔より大きく、頭が載っても壊れない強度とする。
【００１７】  後頭部ホルダー部分２は、正常な入浴時に、枕として使用するので、前頭部ホルダー部分３、右側頭部ホルダー部分４、左側頭部ホルダー部分５より厚みを持たせてもよい。前頭部ホルダー部分３は、分厚いと入浴時には目障りになるので、頭部を支える強度を維持する範囲内で薄くしてもよい。
【００１８】  入浴時、身体の力が抜けると、座った姿勢が崩れて肩がずり落ち、仰向けで浴槽の底に寝る危険性もある。しかし、一対の脇ホルダー部分６を設けると、両肩を下から支えるので、頭部が浴槽内に沈む事はない。さらに、一対の脇ホルダー部分６には、前方向ストッパー６−ａを設けて肩を前から抑えると、より確実に身体を支えることが出来る。
【００１９】  浴槽を出入りする度に、風呂用空気枕１を頭部から被ったり、外したりするのが、面倒な場合は、風呂用空気枕１に分離部８を設けてもよい。入浴している人が倒れた時に、分離部８が大きく開き、風呂用空気枕１が浴槽に落ちないように、入浴時は、分離部留め具９で、分離部を固定する。
【００２０】  本実施の形態１に係る風呂用空気枕１によれば、入浴時、身体のコントロール機能を失った場合でも、入浴している人の周囲３６０度に空気枕が提供出来るので、溺死を防ぐことが出来る。
【００２１】  以下、本発明の実施の形態２を、図３に基づいて説明する。実施の形態１と重複するものについては、一部の説明を省略し、実施の形態１と同じ部分、又は相当する部分には、同じ符号を付す。図３は、本発明の実施の形態２を示す風呂用空気枕１の斜視図である。
【００２２】  図３に示すように、風呂用空気枕１に分離部８を二つ作り、風呂用空気枕の前部分１−ａと、風呂用空気枕の後部分１−ｂ、から構成する。そして、風呂用空気枕の前部分１−ａと、風呂用空気枕の後部分１−ｂ、のそれぞれに空気注入口１３を設ける。
【００２３】  前頭部ホルダー部分３には、吸気用台座型凸部７−Ｂを設ける。吸気用台座型凸部７−Ｂの平面部は、鼻腔の内径より細い線状の材料を使用した格子や、網などで構成する。また頭が載っても壊れない強度とする。
風呂用空気枕の前部分１−ａにはツボ押し用突起１１を設け、風呂用空気枕の前部分１−ａのみを、適度に空気を抜いた状態で床に置き、足の裏のツボ押しに使用してもよい。
【００２４】  入浴中に意識を失い前のめりになる危険性がない場合は、風呂用空気枕の後部分１−ｂ、のみを使用する。入浴中に脇ホルダー部分６を、“挟む、緩める”を繰り返すと、脇をマッサージする効果が生じて、美容や健康に効果がある。
【００２５】  入浴中に意識を失う危険性がない場合は、風呂用空気枕の前部分１−ａのみを浴槽上のテーブルとして使用出来る。
【００２６】  本発明の実施の形態２に係る風呂用空気枕１の使用で、入浴時、身体のコントロール機能を失った場合でも、入浴している人の周囲３６０度に空気枕が提供出来るので、溺死を防ぐことが出来る。又風呂用空気枕の前部分１−ａと、風呂用空気枕の後部分１−ｂ、に分離して使用することで、溺死防止が必要ではない若い人達にも、ツボ押しや、マッサージなど、美容に効果的な入浴を提供出来る。このように、風呂用空気枕１を使用する年代層を広げることは、風呂用空気枕１の普及につながり、多くの人達の溺死防止を可能にする。
【産業上の利用可能性】
【００２７】  本発明は、楽しく、安全で、健康や美容に効果的な入浴を提供出来る。クッツション具は、空気を抜いた状態では、軽く小さいので輸送や商品展示に有利である。
【符号の説明】
【００２８】１  風呂用空気枕
１−ａ  風呂用空気枕の前部分
１−ｂ  風呂用空気枕の後部分
２  後頭部ホルダー部分
３  前頭部ホルダー部分
４  右側頭部ホルダー部分
５  左側頭部ホルダー部分
６  脇ホルダー部分
６−ａ  前方向ストッパー
７―Ａ  吸気用球形凸部
７―Ｂ  吸気用台座型凸部
８  分離部
９  分離部留め具
１０  防水タイマー
１１  ツボ押し用突起
１２  浴槽フランジ
１３  空気注入口
【図１】
2019202099.tif 000003
【図２】
2019202099.tif 000004
【図３】
2019202099.tif 000005